(57)【要約】【課題】本などのように綴じ部の影等の不要な画像ができやすい原稿の画像から、不要の画像を排除できるようにする。【解決手段】ブック原稿読取時に使用するコンタクトガラス３５に、原稿位置合わせ用のスケール１０１、１０２を設ける。前後方向のスケール１０１は、コンタクトガラス３５と対向する側に白基準板１０５を備える。白基準板１０５を読み取ったデータで補正された画像データは白基準板１０５の濃度によってその値が決まるため、白基準板１０５に部分的に汚れ等が付着して反射率が低くなっていた場合、その汚れた部分に対応する部分の画像データは逆に白っぽくなるので、白基準板１０５は本来は均一濃度である必要があるので、白基準板１０５に加えて可動濃度基準板１１０を備える。可動濃度基準板１１０は白基準板１０５と光源３７の間に配置するが、これを利用して白基準板１０５の一部を異なる濃度にしてその位置に対応する画像を白くする。【選択図】図６
2014045391.tif 000002
【特許請求の範囲】
【請求項１】
透明な原稿台と、
前記原稿台に置かれた原稿に前記原稿台を通して光を照射する光源と、
前記光源の照射光の照度むらを補正する白基準板と、
前記原稿台に置かれた原稿のセット位置を示す原稿スケールと、
前記光源から照射された光が前記原稿台に置かれた原稿及び前記白基準板で反射された反射光の受光により、前記原稿及び前記白基準板をスキャンする画像センサと、
前記スキャンした原稿の画像データを出力する画像出力手段を備え、
前記白基準板と反射率の異なる可動濃度基準板と、該可動濃度基準板の位置を示すインジケータが一体化され、前記可動濃度基準板を前記原稿スケールの長手方向に沿って移動させる移動手段とを、
備えたことを特徴とする画像読取装置。
【請求項２】
請求項１の画像読取装置において、
前記原稿スケール長手方向と、前記白基準板の長手方向と、前記可動濃度基準板の移動方向がいずれも前記原稿台に置かれた前記原稿の前記スキャンの副走査方向に沿うことを特徴とする画像読取装置。
【請求項３】
請求項１又は２の画像読取装置において、
前記可動濃度基準板は前記原稿台上におけるその移動方向と直交方向である前記原稿の前記スキャンの主走査方向の幅が連続的に異なる形状であることを特徴とする画像読取装置。
【請求項４】
請求項３の画像読取装置において、
前記画像センサで取得した前記画像の消去幅を選択する消去幅選択手段を備え、
操作者の選択に応じて前記白基準板の画像データを得るための白基準データ取得領域を設定可能としたことを特徴とする画像読取装置。
【請求項５】
請求項１乃至３のいずれかの画像読取装着において、
前記画像センサで取得した前記画像の一部を消去するか否かを操作者が選択可能とする一部消去選択手段を備え、
操作者の選択に応じて前記白基準板の画像データを得るための白基準データ取得領域を設定可能としたことを特徴とする画像読取装置。
【請求項６】
請求項１乃至５のいずれかの画像読取装着用いたことを特徴とする画像形成装置。
【発明の詳細な説明】
【技術分野】
【０００１】
本発明は本などのように見開き原稿を読み取り得る画像読取装置、及びこれを備えた画像形成装置に関する。
【背景技術】
【０００２】
本などのような見開き原稿で綴じ部があるものを原稿台において画像を取得した場合、綴じ部分では見開き原稿が原稿台から離れるため、原稿面を照射するための光源からの光が十分に原稿面に届かず、取得する画像が暗くなる。そのため、見開き原稿の綴じ部には画像として取得すべき情報がないのに画像情報を取得してしまうため、その画像を現像すればその分は無駄にトナーを消費することになってしまう。また、綴じ部を目立たなくするために見開き原稿を強い力で押すと原稿台のガラスの変形によって画像の歪を引き起こしたりする場合もある。
【０００３】
特許文献１に開示されている発明では、プレスキャンを行い原稿濃度を把握して、画像濃度を補正するが、この場合、プレスキャン動作が必要で作業性が悪い。また特許文献２に開示されている発明では、プレスキャンした画像を画像表示部に表示させて外枠消去を設定する。綴じ部の消去はできないが、綴じ部の消去にも応用は可能。しかしプレスキャンが必要で作業性が悪く、画像が表示可能な表示部が必要となるため、装置のサイズが大きくなる。さらに特許文献３に開示されている発明では、見開き原稿の片側半分しか一度にコピーすることができない。
【発明の概要】
【発明が解決しようとする課題】
【０００４】
ところで従来、読み取った画像に対して画像編集機能を持つ装置であれば、消去したい位置を指定して消すことはできるが、位置を指定する作業が煩わしかった。例えば、操作パネルから消したい位置を数値で入力するような場合、位置を測る必要があった。
【０００５】
また、用紙サイズの中央部を自動的に消去するモードを備えた装置もあるが、原稿が必ずしも用紙サイズと一致しないケースも多く、消去する位置がずれるという問題もあった。
【０００６】
したがって本などのような見開き原稿で綴じ部があるものが原稿である場合、綴じ部の影などの画像を消去してコピーを得ることは大変面倒であり、解決が望まれていた。
【０００７】
本発明は以上の問題点にかんがみてなしたものであり、本などのような見開き原稿での綴じ部のように影等の不要の画像ができやすい原稿の画像から、不要の画像を排除して無駄なトナー消費を抑え、また無理に原稿を押さえ付けなくてもみやすい画像を得ることを目的とする。
【課題を解決するための手段】
【０００８】
本発明の画像読取装着は、透明な原稿台と、前記原稿台に置かれた原稿に前記原稿台を通して光を照射する光源と、前記光源の照射光の照度むらを補正する白基準板と、前記原稿台に置かれた原稿のセット位置を示す原稿スケールと、前記光源から照射された光が前記原稿台に置かれた原稿及び前記白基準板で反射された反射光の受光により、前記原稿及び前記白基準板をスキャンする画像センサと、前記スキャンした原稿の画像データを出力する画像出力手段を備え、前記白基準板と反射率の異なる可動濃度基準板と、該可動濃度基準板の位置を示すインジケータが一体化され、前記可動濃度基準板を前記原稿スケールの長手方向に沿って移動させる移動手段とを備えたことを特徴とする。
【発明の効果】
【０００９】
本発明によれば、実際に原稿台に本等の見開き原稿を置いた状態で簡単に画像を消去したい部位や白っぽくしたい部位を指定でき、プレスキャン動作も不要なので、作業効率のよい装置とすることができ、複雑な処理、手順の必要がなくなる。
【図面の簡単な説明】
【００１０】
【図１】本発明の実施対象となる画像形成装置としての複写機の一例を示す概略構成図
【図２】原稿台であるコンタクトガラス上にブック原稿を見開きでセットした状態を示す図
【図３】本発明の実施形態１の要部の断面図を示す図
【図４】本実施形態の要部の断面図を示す分解図
【図５】可動濃度基準板の斜視図
【図６】コンタクトガラスとそれに付属する構成要素を上方から見て示す平面図
【図７】可動濃度基準板を読取領域の外側に配置した状態を示す平面図
【図８】実施形態１のシェーディング補正の動作を示す図
【図９】本発明の実施形態２を示す平面図
【図１０】可動濃度基準板を読取領域の外側に配置した状態を示す平面図
【図１１】実施形態２のシェーディング補正の動作を示す図
【図１２】本発明の実施形態２の可動濃度基準板を示す斜視図
【図１３】実施形態３のシェーディング補正の動作を示す図
【図１４】本発明の実施形態４の白基準データ取得領域を示す図
【図１５】本発明の実施形態４の白基準データ取得領域の他の例を示す図
【図１６】実施形態４のシェーディング補正の動作を示すフロー図
【図１７】本発明の実施形態５の白基準データ取得領域を示す図
【図１８】本発明の実施形態４の白基準データ取得領域の他の例を示す図
【図１９】実施形態４のシェーディング補正の動作を示すフロー図
【発明を実施するための形態】
【００１１】
以下、図面を参照して本発明の実施形態を説明する。
なお本実施形態は複写機、プリンタ、ファクシミリ、これらの複合機等の画像形成装置を例にとって説明するが、本発明は図示の実施形態のものには限定されない。
【００１２】
＜実施形態１＞
図１において、画像形成装置としての複写機１１は、記録媒体にトナー像を形成する画像形成手段１２と、この画像形成手段１２によって形成された記録媒体上のトナー像を、その記録媒体に定着する定着装置１３と、画像形成手段１２に記録媒体を給送する記録媒体搬送装置１４と、画像形成手段１２、定着装置１３および記録媒体搬送装置１４を収容する第１の装置本体１５と、原稿画像を読み取る画像読取手段１６と、画像読取手段１６を収容する第２の装置本体１７と、原稿を搬送する開閉体として圧板の機能を有する自動原稿搬送装置（以下、単にＡＤＦという）１８とを備えており、図示は省略するが、ＡＤＦ１８は第２の装置本体１７にヒンジ機構を介して第２の装置本体１７に開閉自在に搭載されている。
【００１３】
ＡＤＦ１８は、原稿束を載置可能な原稿載置台２０と、原稿載置台２０に載置された原稿束の上面に当接して原稿束を送り出す当接位置および原稿束から離隔する離隔位置の間で移動するピックアップローラ２１と、ピックアップローラ２１によって送り出された原稿束から原稿を１枚ずつ分離して読取位置であるスリットガラス３６に向かって搬送する給紙ベルト２２、リバースローラ２３、搬送ローラ対２４からなる原稿搬送手段２５と、読取位置で読み取りが終了した原稿を原稿排紙台２６に排紙する搬送ローラ対２７および排紙ローラ対２８からなる原稿排紙手段２９とを備えている。
【００１４】
排紙ローラ対２８は、駆動ローラ２８ａと、駆動ローラ２８ａに摺接する従動ローラ２８ｂおよび従動ローラ２８ｃとを備えており、排紙ローラ対２８の近傍には切換爪３０が設けられている。切換爪３０は、第１の切換位置と第２の切換位置との間で移動するようになっており、切換爪３０が第１の切換位置に切り換えられると、駆動ローラ２８ａおよび従動ローラ２８ｂによって原稿が原稿排紙台２６に排紙されるようになっている。
【００１５】
切換爪３０が第２の切換位置に切り換えられると、駆動ローラ２８ａおよび従動ローラ２８ｃによって原稿がスイッチバック通路３１に搬送されるようになっている。スイッチバック通路３１には正逆回転自在なスイッチバックローラ対３２が設けられており、スイッチバック通路３１に搬送される原稿は、スイッチバックローラ対３２によって図１中、右方向に搬送された後、スイッチバックローラ対３２が逆転駆動することにより、再搬送経路を介して搬送ローラ対２４に搬送される。このため、原稿が反転されて読取位置に搬送される。
【００１６】
画像読取手段１６は、それ自体周知のように、光学系３４を収容した第２の装置本体１７と、第２の装置本体１７の上部に固定配置されたコンタクトガラス３５およびスリットガラス３６とを備えている。
【００１７】
この画像読取手段１６にあっては、閉じられた原稿や本等からなる原稿をコンタクトガラス３５上に原稿を載置して、その原稿をＡＤＦ１８によって押圧することにより、原稿を読み取ることができる。また、ＡＤＦ１８によって自動搬送される原稿はスリットガラス３６の読取位置で読み取られるようになっている。すなわち、画像読取手段としての光学系３４は、光源３７と第１ミラー３８とを有する第１走行体３９と、第２ミラー４０および第３ミラー４１を有する第２走行体４２と、結像レンズ４３と、ＣＣＤイメージセンサ４４とを備えており、第１走行体３９および第２走行体４２は、図１に示した位置から右方に移動し、このとき、光源３７から出射する光によって原稿を照明し、その反射光を第１ミラー３８、第２ミラー４０および第３ミラー４１の順に反射した後、結像レンズ４３を通してＣＣＤイメージセンサ４４に入射する。このようにして原稿画像がＣＣＤイメージセンサ４４に結像されることにより、原稿の画像が読み取られる。
【００１８】
ＡＤＦ１８によって原稿を読み取る場合には、図１中、右方に示す位置に第１走行体３９および第２走行体４２を固定した状態で上述した手順で走行する原稿を読み取る。
【００１９】
画像形成手段１２は、ドラム状の感光体からなる第１像担持体４５Ｙ、第２像担持体４５Ｃ、第３像担持体４５Ｍおよび第４像担持体４５ＢＫを備えており、これら第１〜第４像担持体４５Ｙ〜４５ＢＫには、複数の支持ローラに巻き掛けられた無端ベルトからなる中間転写ベルト４６が対向配置されている。
【００２０】
第１〜第４像担持体４５Ｙ〜４５ＢＫは、それぞれ図１における時計方向に回転駆動されるようになっており、中間転写ベルト４６は図１中、矢印Ａ方向に回転駆動される。このとき、第１像担持体４５Ｙは、帯電ローラ４７によって所定の極性に帯電される。
【００２１】
光書き込みユニット４８からは、上述した原稿の読み取り結果に応じた画信号に基づいて光変調されたレーザビームＬが射出されるようになっており、第１像担持体４５Ｙの帯電面にそのレーザビームＬが照射されることによって第１像担持体４５Ｙに静電潜像が形成され、この静電潜像は現像装置４９によってイエロートナー像として可視像化される。
【００２２】
一次転写ローラ５０には、転写電圧が印加されることによって、第１像担持体４５Ｙ上に形成されたトナー像が図１中、矢印Ａ方向に回転する中間転写ベルト４６上に一次転写される。
【００２３】
トナー像転写後の第１像担持体４５Ｙ上に付着する転写残トナーは、クリーニング装置５２によって除去される。本実施の形態の複写機１１においては、第１像担持体４５Ｙと、その周囲に配設された帯電ローラ４７と、現像装置４９と、クリーニング装置５２とによって一体的なプロセスカートリッジが構成されている。
【００２４】
現像装置４９は、粉体状のトナーを収容した現像容器５３を有し、そのトナーによって静電潜像が可視像化される。また、現像容器５３内のトナー量が減少したとき、トナーボトル５４Ｙから現像容器５３にトナーが補給される。
【００２５】
一方、クリーニング装置５２は、第１像担持体４５Ｙから除去されたトナーを受け入れるクリーニング容器５５を備えており、クリーニング容器５５内のトナーは、トナー搬送装置によって、図示していない廃トナー容器に搬送される。このように、現像容器５３、トナーボトル５４Ｙ、クリーニング容器５５および廃トナー容器にはトナーが収容されている。
【００２６】
上述した動作と同様にして、第２像担持体４５Ｃ、第３像担持体４５Ｍおよび第４像担持体４５ＢＫ上にシアントナー像、マゼンタトナー像およびブラックトナー像がそれぞれ形成され、これらのトナー像がイエロートナー像の転写された中間転写ベルト４６上に順次重ねて一次転写される。
【００２７】
これらの第２像担持体４５Ｃ、第３像担持体４５Ｍ、第４像担持体４５ＢＫにトナー像を形成する現像装置の現像容器内のトナー量が減少したときも、各トナーボトル５４Ｃ、５４Ｍ、５４ＢＫから、その各現像容器にトナーが補給される。
【００２８】
このようにして、中間転写ベルト４６上に転写された重ねトナー像は、二次転写ローラ５６の作用によって記録媒体に二次転写され、その転写後の中間転写ベルト４６上に付着する転写残トナーは、ベルト用のクリーニング装置５２により除去される。このクリーニング装置５２のクリーニング容器５５にもトナーが収容され、そのトナーは図示していない廃トナー容器に搬送される。
【００２９】
記録媒体搬送装置１４は中間転写ベルト４６の下方に配置されており、この記録媒体搬送装置１４は、転写紙または樹脂シート等からなる記録媒体あるいはその束Ｓ１を収容した給紙カセット５７と、最上位の記録媒体Ｓに接触する給紙ローラ５８と、レジストローラ対５９とを有し、給紙ローラ５８の回転によって最上位の記録媒体Ｓが図１中、矢印Ｂ方向に送り出される。送り出された記録媒体Ｓは、レジストローラ対５９の回転によって、所定のタイミングで中間転写ベルト４６と、中間転写ベルト４６に対向配置された二次転写ローラ５６との間に給送される。
【００３０】
この記録媒体Ｓが中間転写ベルト４６と二次転写ローラ５６との間を通過するとき、二次転写ローラ５６には転写電圧が印加されることによって中間転写ベルト４６上の重ねトナー像が記録媒体に二次転写される。このようにして、画像形成手段１２により、記録媒体上にトナー像が形成されるのである。
【００３１】
トナー像が形成された記録媒体は定着装置１３を通過し、このとき画像形成手段１２によって形成された記録媒体上のトナー像がその記録媒体に定着される。また、定着装置１３によって画像が定着された記録媒体Ｓは排紙ローラ対６０によって記録媒体排紙台６１上に排紙される。この記録媒体排紙台６１は、画像形成手段１２を収納する第１の装置本体１５と画像読取手段１６を収納する第２の装置本体１７の間に形成されており、本実施の形態では、排紙ローラ対６０による記録媒体Ｓの排紙方向下流側の第１の装置本体１５および第２の装置本体１７の間が開放される胴内排紙型の複写機１１となっている。
【００３２】
排紙ローラ対４２の上流側には切換レバー６２が設けられており、この切換レバー６２は記録媒体の表面の複写が終了したときに、記録媒体Ｓの裏面に複写を行うときに、反転通路６３側に切り換えられるようになっている。
【００３３】
すなわち、記録媒体Ｓの後端が排紙ローラ対６０に挟み持たれると、排紙ローラ対６０が逆転駆動するとともに、切換レバー６２が反転通路６３に連通する位置に切り換えられ、記録媒体Ｓが反転通路６３に向かって搬送される。この反転通路６３には反転ローラ対６４が設けられており、この反転ローラ対６４によって反転通路６３を搬送される記録媒体は、二次転写ローラ５６側に搬送される。
【００３４】
一方、スリットガラス３６上には反射ガイド板６５が設けられており、この反射ガイド板６５は原稿の読取時の白基準を構成するとともに、光源３７からの光を反射するようになっている。
【００３５】
また、コンタクトガラス３５とスリットガラス３６の間にはガイド部材７１が設けられており、このガイド部材７１は、スリットガラス３６を通過した原稿をすくい上げて搬送ローラ対２７に向かって案内するようになっている。
【００３６】
図２にコンタクトガラス３５上にブック原稿８０を見開きでセットした状態を示す。ブック原稿８０の綴じ部８１がありため光源からの光が十分届かないため、影になり画像が黒くなる部位Ｘが生じていることがわかる。
【００３７】
図３〜図８に本実施形態の構成の詳細を示す。図３、図４は本実施形態の要部の断面図を示し、図４は構成要素を分解した図である。また図５は、可動濃度基準板の斜視図、図６はコンタクトガラス３５とそれに付属する構成要素を上方から見て示す平面図である。図示のようにブック原稿読取時に使用するコンタクトガラス３５には、装置の前後方向と左右方向に原稿位置合わせ用のスケール１０１、１０２が設けてある。図６中の符号Ａｒはコンタクトガラス３５上での画像の読取領域を示す。
【００３８】
前後方向のスケール１０１は、コンタクトガラス３５と対向する側に白基準板１０５を備えている。白基準板１０５１０５は原稿の白部と同等の均一な濃度の部材で、光源、受光素子、光学素子によって発生する濃度ムラを補正するものである。これは画像読取装置では広く用いられている技術である。本実施形態では、図３、１２に示すように、白基準板１０５はスケール１０１に接着してあり、さらにスケール１０１はコンタクトガラス３５に接着してある。
【００３９】
白基準板１０５を読み取ったデータで補正された画像データは、すなわち白基準板１０５の濃度によってその値が決まるため、例えば、白基準板１０５に部分的に汚れ等が付着して反射率が低くなっていた場合、その汚れた部分に対応する部分の画像データは逆に白っぽくなる。したがって、白基準板１０５は本来は均一濃度である必要があるが、実際に使用している装置において常に白基準板１０５を均一濃度に保つことは難しい。そこで本実施形態は、白基準板１０５の一部を異なる濃度にしてその位置に対応する画像を白くする機能を実現する。
【００４０】
そこで本実施形態では、白基準板１０５に加え、白基準板１０５と濃度（例えば白さ）が異なる可動濃度基準板１１０を備えている。可動濃度基準板１１０は白基準板１０５と光源３７の間に配置するが、白基準板１０５の長手方向に沿った任意の位置に配置することができる。可動濃度基準板１１０の光源３７に対向する側の面は、白基準板１０５よりも反射率が低くする。つまり黒っぽくしてある。
【００４１】
このような可動濃度基準板１１０を画像読取範囲に配置して画像読取を行うと、可動濃度基準板１１０に対応する位置において、画像データが白っぽくなる。図２で示したような綴じ部８１のあるブック原稿８０を読み取る場合、可動濃度基準板１１０を綴じ部８１の位置に設定すると、読み取った画像の綴じ部８１に対応する部分が白っぽくなるため綴じ部８１の影が薄くなり、余計なトナーの消費が抑えられる。
【００４２】
なお図４に示すように、可動濃度基準板１１０は、突起部１１０Ｂを備えており、原稿ガイド１２０に設けたガイド形状部１２０Ａにガイドされて移動することが可能になっている。また図７に示すように、可動濃度基準板１１０は綴じ部のない通常の原稿の場合には、読取領域Ａｒの外側に配置しておけば画像読取に影響を与えることはない。
【００４３】
なお原稿位置合わせ用のスケール１０１の長手方向と、白基準板１０５の長手方向と、可動濃度基準板１１０の移動方向がいずれも原稿台であるコンタクトガラス３５に置かれた原稿のスキャンの副走査方向（図６で可動濃度基準板１１０の移動方向（主走査方向でもある）として示した矢印と図の紙面上で直交する方向）に沿うことで、よりサイズの大きい原稿に対応できる。
【００４４】
次に図８によりシェーディング補正を簡単に説明する。
読取動作時、画像読取に先立ってスケール１０１に貼り付けられた白基準板１０５の白基準データ取得領域の画像データを取り込む。１ラインだけのデータだと、そのラインにゴミが付いていた場合、白基準データに大きく影響するため、通常は複数ラインのデータを平均化して白基準データを決定する。図示のように、可動濃度基準板１１０が白基準データ取得領域にある場合、可動濃度基準板１１０に対応する部分の白基準データがそれ以外の領域と異なる値となる。なお図８の例は、可動濃度基準板１１０が中間濃度（グレー）の場合を示している。この場合、例えば可動濃度基準板１１０と同じ程度の濃度の原稿を読み取った場合、可動濃度基準板１１０に対応する画像は白基準データと同じのため白となるが、それ以外の領域ではグレーとなる。このように、可動濃度基準板１１０を白基準板１０５よりも濃度が高い（反射率が低い）状態にしておくことにより、それに対応する領域において、読み取った画像データを白っぽくすることが可能となる。
【００４５】
＜実施形態２＞
図９〜図１１に実施形態２を示す。図１１は副走査方向のシェーディング補正を示す図である。
本実施形態では、可動濃度基準板１１０は、装置の左右方向のスケール１０２に沿って移動可能になっている。また、左右方向のスケール１０２のコンタクトガラス３５と対向する側に副走査白基準板１０６を備えている。実施形態１では、白基準板１０５は光源３７に沿った方向（主走査方向）のムラを補正するためのものであったが、本実施形態の副走査白基準板１０６は光源３７の移動中の時間的光量変動を補正するためのものである。これは副走査シェーディングと呼ばれるもので、光源３７の時間的光量変動が大きい場合に、読取動作中の画像濃度変動を防止することを目的としている。光源として蛍光灯や冷陰極管が用いられる場合によく使われる方法である。
【００４６】
通常、主走査方向の読取可能幅は、読取に使うＣＣＤ等のセンサで決まってしまう。幅を大きくするためには、画素数の多いセンサを使わなければならず、コスト高になるため、副走査方向の走査距離を長くして、画像読取領域を大きくするのが一般的である。従って、普通は主走査方向より副走査方向の読取領域が大きい。そのため、サイズの大きい原稿を読み取る場合には、サイズの大きい方向を副走査方向と一致させることになる。本実施形態では、可動濃度基準板１１０を副走査方向に設定でき、本原稿の見開き方向を副走査方向と一致させれば、より大きいサイズの本原稿の綴じ部の薄くすることができる。
【００４７】
なお可動濃度基準板１１０は綴じ部のない通常の原稿の場合には、実施形態１と同様に、図１０に示すように読取領域Ａｒの外側に配置しておけば画像読取に影響を与えることはない。
【００４８】
＜実施形態３＞
図１２、図１３に実施形態３を示す。
本実施形態では、可動濃度基準板１１０は、可動方向の直角方向に対して幅が連続的に異なる形状（具体的には三角形の平面形状で読取領域Ａｒが尖頭方向）になっている。
【００４９】
本実施形態での白基準補正動作を図１３に示す。
白基準データ取得領域の平均データをとった場合、白基準データは図１３の中央の図のように、可動濃度基準板１１０の中央の方が黒っぽくなる。中間濃度原稿を読み取ると、図１３の右図のようになり、可動濃度基準板１１０中央部がより白っぽくなる。通常、綴じ部のある本原稿の場合、綴じ部の中央が最も暗くなり、中央から離れるに従って少しずつ白っぽくなる。本実施形態のような可動濃度基準板１１０を使うことにより、本原稿の綴じ部をより自然に消去することができる。すなわち可動濃度基準板１１０の原稿台であるコンタクトガラス３５上におけるその移動方向と直交方向である原稿のスキャンの主走査方向の幅が連続的に異なる形状であるため、ブック原稿８０の綴じ部８１を自然な濃度変化で消去できる。
【００５０】
＜実施形態４＞
図１４〜図１６に実施形態４を示す。
本実施形態では、白基準データ取得領域を変えることにより、可動濃度基準板１１０の効果範囲を変化させることができる。図１４の例では、白基準データが黒っぽくなる範囲が狭く、図１５の例では、広めになる。ブック原稿８０の綴じ部８１は、本の厚さ、綴じ方により影になる範囲が異なる点を考慮したものである。
【００５１】
本実施形態の動作を図１６に示す。
本実施形態では、画像読取を行う前に操作者が、例えば操作部から綴じ部消去幅を広めにするか、狭めにするかを選択する（ステップＳ１）。操作者の選択に応じて、白基準データ取得領域を図１４の白基準取得領域１か、図１５の白基準取得領域２かを設定し（ステップＳ２、Ｓ３）、白基準板１０５を読み取って白基準データを作成した後（ステップＳ４）、画像読み取りを行う（ステップＳ５）。
【００５２】
すなわち本実施形態では、取得した画像データの消去幅を選択する消去幅選択手段として画像形成装置が備えるコンピュータを用い、操作者の選択に応じて白基準板１０５の画像データを得るための白基準データ取得領域を設定可能としたことで、ブック原稿８０の種類により、綴じ部８１の影が出る部分の幅が異なる場合にも対応できるようになっている。
【００５３】
＜実施形態５＞
図１７〜図１９に実施形態５を示す。
本実施形態では、白基準データ取得領域を変えることにより、綴じ部消去機能のＯＮ、ＯＦＦを切り替えている。すなわち図１７では、可動濃度基準板１１０に対応する位置の画像濃度が白っぽくなるが、図１８では変化しない。
【００５４】
本実施形態の動作を図１９に示す。
本実施形態では、画像読取を行う前に操作者が、例えば操作部から綴じ部消去するか、しないかを選択する（ステップＳ１）。操作者の選択に応じて、白基準データ取得領域を図１７の白基準取得領域１か、図１８の白基準取得領域３かを決定し（ステップＳ２、Ｓ３）、白基準板１０５を読み取って白基準データを作成した後（ステップＳ４）、画像読取を行う（ステップＳ５）。ブック原稿８０の綴じ部８１を消去しあるいは白っぽくしたい場合に、処理したい位置を簡単に指示することができ、複雑な画像処理の必要がない。
【００５５】
すなわち本実施形態では、操作者の選択に応じて白基準板１０５の画像データを得るための白基準データ取得領域を設定可能なので、可動濃度基準板１１０をセットしたままで、綴じ部の影の消去を行わない設定が簡単にできる。
【００５６】
本発明は以上説明した実施形態に限定されるものではなく、多くの変形が本発明の技術的思想内で当分野において通常の知識を有する者により可能である。
【符号の説明】
【００５７】
１１      ：複写機
１２      ：画像形成手段
１３      ：定着装置
１４      ：記録媒体搬送装置
１５      ：第１の装置本体
１６      ：画像読取手段
１７      ：第２の装置本体
２０      ：原稿載置台
２１      ：ピックアップローラ
２２      ：給紙ベルト
２３      ：リバースローラ
２５      ：原稿搬送手段
２６      ：原稿排紙台
２８ａ    ：駆動ローラ
２８ｂ、２８ｃ    ：従動ローラ
２９      ：原稿排紙手段
３０      ：切換爪
３１      ：スイッチバック通路
３４      ：光学系
３５      ：コンタクトガラス
３６      ：スリットガラス
３７      ：光源
３８      ：第１ミラー
３９      ：第１走行体
４０      ：第２ミラー
４１      ：第３ミラー
４２      ：第２走行体
４３      ：結像レンズ
４４      ：ＣＣＤイメージセンサ
４５      ：像担持体
４６      ：中間転写ベルト
４７      ：帯電ローラ
４８      ：光書き込みユニット
４９      ：現像装置
５０      ：一次転写ローラ
５２      ：クリーニング装置
５３      ：現像容器
５４      ：トナーボトル
５５      ：クリーニング容器
５６      ：二次転写ローラ
５７      ：給紙カセット
５８      ：給紙ローラ
６１      ：記録媒体排紙台
６２      ：切換レバー
６３      ：反転通路
６５      ：反射ガイド板
７１      ：ガイド部材
８０      ：ブック原稿
１０１、１０２    ：スケール
１０５    ：白基準板
１０６    ：副走査白基準板
１１０    ：可動濃度基準板
１１０Ｂ  ：突起部
１２０    ：原稿ガイド
１２０Ａ  ：ガイド形状部
Ａｒ      ：読取領域
Ｌ        ：レーザビーム
Ｓ        ：記録媒体
【先行技術文献】
【特許文献】
【００５８】
【特許文献１】特開２０１０−２８３９０号公報
【特許文献２】特開２００９−２７３０３０号公報
【特許文献３】特開２０１０−６８３８７号公報
【図１】
2014045391.tif 000003
【図２】
2014045391.tif 000004
【図３】
2014045391.tif 000005
【図４】
2014045391.tif 000006
【図５】
2014045391.tif 000007
【図６】
2014045391.tif 000008
【図７】
2014045391.tif 000009
【図８】
2014045391.tif 000010
【図９】
2014045391.tif 000011
【図１０】
2014045391.tif 000012
【図１１】
2014045391.tif 000013
【図１２】
2014045391.tif 000014
【図１３】
2014045391.tif 000015
【図１４】
2014045391.tif 000016
【図１５】
2014045391.tif 000017
【図１６】
2014045391.tif 000018
【図１７】
2014045391.tif 000019
【図１８】
2014045391.tif 000020
【図１９】
2014045391.tif 000021